(57)【特許請求の範囲】
【請求項１】
複数の感光体と、各感光体上に形成されたトナ−像を記録紙に転写する複数の転写手段と、各感光体と転写手段の間を通して記録紙を搬送する搬送ベルトと、複数の感光体の間の搬送ベルトの感光体側に配置され、搬送ベルトに蓄積する電荷を除去する除電装置を有する湿式電子写真装置において、
前記除電装置と搬送ベルトとの間隔を変える手段を有し、該間隔を変える手段は、記録紙の種類、両面印写を行う場合の第１面と第２面、環境条件を入力し、記録紙の種類、両面印写を行う場合の第１面と第２面、環境条件により変更する転写手段の印加電圧あるいは電流に応じて除電装置の位置を可変し、除電装置と搬送ベルトとの間隔を変更することを特徴とする湿式電子写真装置。
【請求項２】
複数の感光体と、各感光体上に形成されたトナ−像を記録紙に転写する複数の転写手段と、各感光体と転写手段の間を通して記録紙を搬送する搬送ベルトと、複数の感光体の間の搬送ベルトを挟んだ同じ位置に搬送ベルトの両面と対をなすように配置され、搬送ベルトに蓄積する電荷を除去する除電装置を有する湿式電子写真装置において、
前記搬送ベルトの感光体側に設けられた除電装置と搬送ベルトとの間隔を変える手段を有し、該間隔を変える手段は、記録紙の種類、両面印写を行う場合の第１面と第２面、環境条件を入力し、記録紙の種類、両面印写を行う場合の第１面と第２面、環境条件により変更する転写手段の印加電圧あるいは電流に応じて除電装置の位置を可変し、除電装置と搬送ベルトとの間隔を変更することを特徴とする湿式電子写真装置。
【請求項３】
前記除電装置は搬送ベルトの移動方向と直交する搬送ベルトの幅以下で、感光体上に形成される画像領域の幅以上にわたって設置される請求項１又は２記載の湿式電子写真装置。
【請求項４】
前記搬送ベルトの両側に設けられた除電装置から接地部に流れる電流を検知し、除電の適否を判断する請求項２記載の湿式電子写真装置。
【請求項５】
前記搬送ベルトの両側に設けられた除電装置の双方に直流の電圧を印加する請求項２記載の湿式電子写真装置。
【請求項６】
前記搬送ベルトの両側に設けられた除電装置のうち、一方の除電装置に直流電圧を印加し、他方の除電装置を電気的に接地した請求項２記載の湿式電子写真装置。
【請求項７】
前記搬送ベルトの両側に設けられた除電装置のうち、搬送ベルトの感光体側に設けられた除電手段には転写手段に印加される電圧と同極性の電圧を印加し、搬送ベルトの転写手段側に設けられた除電装置には転写手段に印加される電圧と逆極性の電圧を印加する請求項２記載の湿式電子写真装置。
【請求項８】
前記搬送ベルトの両側に設けられた除電装置のうち、一方の除電装置に直流及び交流の電圧を印加し、他方の除電装置を電気的に接地した請求項２記載の湿式電子写真装置。
【請求項９】
前記電気的に接地した除電装置に流れる電流量を検知し、除電の適否を判定する請求項８記載の湿式電子写真装置。
【請求項１０】
前記交流電圧が印加される除電装置に印加される電圧の交流分の周波数は１ＫＨｚを超えない範囲である請求項８記載の湿式電子写真装置。
【請求項１１】
前記直流電圧が印加される除電装置に印加される電圧の直流分は転写手段に印加する電圧と逆極性である請求項８記載の湿式電子写真装置。
【請求項１２】
前記直流及び交流の電圧が印加される除電装置は、印加される直流分の電圧と交流分の電圧の周波数の少なくとも一方が可変である請求項８記載の湿式電子写真装置。
【請求項１３】
前記直流及び交流の電圧が印加される除電装置は、印加される直流分の電圧又は交流分の電圧の周波数を記録紙の種類あるいは使用される環境に応じて変更する請求項１２記載の湿式電子写真装置。
【請求項１４】
前記直流及び交流の電圧が印加される除電装置は、１枚の記録紙に対して両面の印写を行う場合に、印加される直流分の電圧又は交流分の電圧の周波数を第１面に印刷するときと第２面に印刷とき変更する請求項１２記載の湿式電子写真装置。
【請求項１５】
前記電気的に接地した除電装置に流れる電流量を検知し、検知した電流量に応じて前記直流及び交流の電圧が印加される除電装置に印加する直流分の電圧又は交流分の電圧の周波数を変更する請求項１２記載の湿式電子写真装置。
【請求項１６】
前記搬送ベルトの転写手段側に設けられた除電装置は比抵抗が10８〜10１２(Ωｃｍ)の材料から成るブラシ又は不織布である請求項１乃至１５のいずれかに記載の湿式電子写真装置。
【請求項１７】
前記搬送ベルトの転写手段側に設けられた除電装置は導電性材料から構成されたロ−ラである請求項１乃至１５のいずれかに記載の湿式電子写真装置。
【請求項１８】
前記搬送ベルトの移動速度をν(mm/sec)、除電装置の搬送ベルト移動方向に対する長さу０(mm)としたとき、(у０/ν)＞0.01を満足するように除電装置のу０の長さを定める請求項１乃至１５のいずれかに記載の湿式電子写真装置。
【発明の詳細な説明】
【０００１】
【発明の属する技術分野】
この発明は、複数の感光体に形成されたトナ−像を記録紙に転写する湿式の電子写真装置、特に転写された画質の向上に関するものである。
【０００２】
【従来の技術】
湿式の電子写真装置を使用したプリンタや複写機においてカラ−の印刷を行う場合、例えばブラック（Ｂｋ），マゼンタ（ｍ），イエロ−（ｙ），シアン（ｃ）に対応する複数の感光体を配列し、ポリエステルフィルム（ＰＥＴ）等の例えば比抵抗が１０１３Ωｃｍ以上の高抵抗材料からなる搬送ベルトで搬送されている記録紙に各感光体に形成されたトナ−像を順次転写していく方法が採られる。
【０００３】
【発明が解決しようとする課題】
上記のように搬送ベルトで搬送されている記録紙に複数の感光体から順次画像を転写していると、転写への負荷が転写毎に増大する。すなわち、転写チャ−ジャ−あるいはロ−ラ等の転写手段から搬送ベルト上に与えられた電荷がそのまま蓄積され、搬送ベルトに残留する電荷が増大して後段になるほど転写手段による電荷の付与が小さくなる。その結果、後段の感光体上のトナ−像の記録紙への転写比率が低下し、画質の低下を招いてしまう。
【０００５】
一方、搬送ベルトに残留する電荷が増大することを防ぐために搬送ベルトの抵抗を下げると、前記の転写電圧あるいは転写電流の後段にいくほど増大させるステップアップ量の低減には寄与するが、記録紙と搬送ベルトとの吸着力が弱くなり、記録紙ジャムや不送り等の原因になってしまう。
【０００６】
この発明はかかる短所を解消するためになされたものであり、複数トナ−像を転写する場合であっても、搬送ベルトに残留する電荷の除去効率を高めて良好な画像を得ることができる湿式電子写真装置を得ることを目的とするものである。
【０００７】
【課題を解決するための手段】
この発明に係る湿式電子写真装置は、複数の感光体と、各感光体上に形成されたトナ−像を記録紙に転写する複数の転写手段と、各感光体と転写手段の間を通して記録紙を搬送する搬送ベルトと、複数の感光体の間の搬送ベルトの感光体側に配置され、搬送ベルトに蓄積する電荷を除去する除電装置を有する湿式電子写真装置において、前記除電装置と搬送ベルトとの間隔を変える手段を有し、該間隔を変える手段は、記録紙の種類、両面印写を行う場合の第１面と第２面、環境条件を入力し、記録紙の種類、両面印写を行う場合の第１面と第２面、環境条件により変更する転写手段の印加電圧あるいは電流に応じて除電装置の位置を可変し、除電装置と搬送ベルトとの間隔を変更することを特徴とする。
【０００８】
第２の発明の湿式電子写真装置は、複数の感光体と、各感光体上に形成されたトナ−像を記録紙に転写する複数の転写手段と、各感光体と転写手段の間を通して記録紙を搬送する搬送ベルトと、複数の感光体の間の搬送ベルトを挟んだ同じ位置に搬送ベルトの両面と対をなすように配置され、搬送ベルトに蓄積する電荷を除去する除電装置を有する湿式電子写真装置において、前記搬送ベルトの感光体側に設けられた除電装置と搬送ベルトとの間隔を変える手段を有し、該間隔を変える手段は、記録紙の種類、両面印写を行う場合の第１面と第２面、環境条件を入力し、記録紙の種類、両面印写を行う場合の第１面と第２面、環境条件により変更する転写手段の印加電圧あるいは電流に応じて除電装置の位置を可変し、除電装置と搬送ベルトとの間隔を変更することを特徴とする。
【００１０】
また、前記除電装置は搬送ベルトの移動方向と直交する搬送ベルトの幅以下で、感光体上に形成される画像領域の幅以上にわたって設置することが望ましい。
【００１１】
さらに、搬送ベルトの両側に設けられた除電装置は双方とも電気的に接地したり、直流の電圧を印加したり、一方の除電装置に直流電圧を印加し、他方の除電装置を電気的に接地することが望ましい。そして、除電装置から接地部に流れる電流を検知し、除電の適否を判断すると良い。
【００１２】
また、第２の発明の湿式電子写真装置で搬送ベルトの両側に設けられた除電装置のうち、搬送ベルトの感光体側に設けられた除電手段には転写手段に印加される電圧と同極性の電圧を印加し、搬送ベルトの転写手段側に設けられた除電装置には転写手段に印加される電圧と逆極性の電圧を印加することが好ましい。
【００１３】
さらに、第２の発明の湿式電子写真装置で搬送ベルトの両側に設けられた除電装置のうち、一方の除電装置に直流及び交流の電圧を印加し、他方の除電装置を電気的に接地しても良い。この場合、直流電圧が印加される除電装置に印加される電圧の直流分は転写手段に印加する電圧と逆極性にすることが望ましい。さらに、直流及び交流の電圧が印加される除電装置は、印加される直流分の電圧と交流分の電圧の周波数の少なくとも一方を可変とし、交流電圧が印加される除電装置に印加される電圧の交流分の周波数は１ＫＨｚを超えない範囲にすることが望ましい。
【００１４】
また、直流及び交流の電圧が印加される除電装置は、印加される直流分の電圧又は交流分の電圧の周波数を記録紙の種類あるいは使用される環境に応じて変更したり、１枚の記録紙に対して両面の印写を行う場合に、印加される直流分の電圧又は交流分の電圧の周波数を第１面に印刷するときと第２面に印刷とき変更すると良い。
【００１５】
さらに、前記電気的に接地した除電装置に流れる電流量を検知し、検知した電流量に応じて前記直流及び交流の電圧が印加される除電装置に印加する直流分の電圧又は交流分の電圧の周波数を変更すると良い。
【００１６】
また、除電装置は比抵抗が１０８〜１０１２（Ωｃｍ）の材料から成るブラシ又は不織布で構成することが望ましい。但し、搬送ベルトの転写手段側に設けられた除電装置は導電性材料から構成されたロ−ラであっても良い。
【００１７】
さらに、搬送ベルトの移動速度をν（ｍｍ／ｓｅｃ）、除電装置の搬送ベルト移動方向に対する長さу０（ｍｍ）としたとき、（у０／ν）＞０．０１を満足するように除電装置のу０の長さを定めると良い。
【００１８】
【発明の実施の形態】
この発明においては、複数の感光体と転写手段が連設され、搬送ベルトで搬送されている記録紙に多色印刷を行なう湿式電子写真装置の感光体の間に除電装置を設ける。搬送ベルトが前段の感光体と転写手段から次段の感光体と転写手段の位置にまで移動する間に前段の転写手段により搬送ベルトに蓄積された電荷を除電装置で除去し、次段の転写手段による電荷の付与が小さくなることを防ぎ、次段の感光体上のトナ−像の記録紙への転写比率を高める。
【００１９】
上記除電装置を搬送ベルトを挟んだ同じ位置に対をなすように配置して、搬送ベルトの両面の電荷を除去し、電荷の除去効率を高める。
【００２０】
また、搬送ベルトの感光体側に設けられた除電装置は搬送ベルトから一定の間隔をもって配置し、除電装置と搬送ベルトで搬送されている記録紙が接触することを防止して、記録紙に前段で転写されたトナ−像が乱れることを防ぐ。この間隔を可変できるようにして、記録紙の種類等の各種条件で調節し、各種条件に応じて搬送ベルトの電荷を除去する。また、搬送ベルトの転写手段側に設けた除電装置を感光体側に設けた除電装置と搬送ベルトとの間隔と略同じ間隔だけ搬送ベルトから離れて配置して、搬送ベルトの両面の電荷除去量を平衡させて、除電効率を高める。
【００２１】
また、除電装置の幅を搬送ベルトの移動方向と直交する搬送ベルトの幅以下で、感光体上に形成される画像領域の幅以上として、画像領域に蓄積された電荷を確実に除去する。
【００２２】
さらに、搬送ベルトの両側に設けられた除電装置は双方とも直流の電圧を印加したり、一方の除電装置に直流電圧又は直流と交流の電圧を重畳して印加し、他方の除電装置を電気的に接地して除電効率を高める。そして、除電装置から接地部に流れる電流を検知し、除電の適否を判断して除電装置の状態を管理する。
【００２３】
また、搬送ベルトの両側に設けられた除電装置のうち、搬送ベルトの感光体側に設けられた除電手段には転写手段に印加される電圧と同極性の電圧を印加し、搬送ベルトの転写手段側に設けられた除電装置には転写手段に印加される電圧と逆極性の電圧を印加して、除電効率をより高める。
【００２４】
さらに、一方の除電装置に直流と交流の電圧を重畳して印加する場合に、印加される直流分の電圧と交流分の電圧の周波数の少なくとも一方を可変とし、交流電圧の周波数は１ＫＨｚを超えない範囲にして、除電効率を高める。
【００２５】
さらに、電気的に接地した除電装置に流れる電流量を検知し、検知した電流量に応じて直流及び交流の電圧が印加される除電装置に印加する直流分の電圧又は交流分の電圧の周波数を変更し、各種条件に応じた最適な除電を行なう。
【００２６】
また、除電装置は比抵抗が１０８〜１０１２（Ωｃｍ）の材料から成るブラシ又は不織布で構成して、電荷の移行量を高め、除電装置の小型化と除電効率の向上を図る。但し、搬送ベルトの転写手段側に設けられた除電装置は記録紙のトナ−像に直接影響しないから導電性材料からなるロ−ラで構成しても良い。
【００２７】
さらに、搬送ベルトの移動速度をν（ｍｍ／ｓｅｃ）、除電装置の搬送ベルト移動方向に対する長さу０（ｍｍ）としたとき、（у０／ν）＞０．０１を満足するように除電装置のу０の長さを定め、１回の除電時間を少なくとも１０ｍｓｅｃ以上として、搬送ベルトに蓄積された電荷の除去量を高める。
【００２８】
【実施例】
図１はこの発明の一実施例の転写部を示す構成図である。図に示すように、カラ−の印刷を行う湿式電子写真装置の転写部１には、例えばブラック，マゼンタ，イエロ−，シアンに対応するトナ−像を形成する感光体２ａ〜２ｄと形成したトナ−像を記録紙へ転写するための転写ロ−ラ３ａ〜３ｄが所定間隔をおいて順次配列されている。なお、各感光体２ａ〜２ｄに付随する帯電、書込み、現像、クリ−ニング等の各装置は図１では省略してある。各感光体２ａ〜２ｄと転写ロ−ラ３ａ〜３ｄの間を搬送ロ−ラ４，５に巻回され、ポリエステルフィルム等の高抵抗材料で構成された搬送ベルト６が搬送されて記録紙を搬送する。各感光体２ａ〜２ｄの間の中間部には搬送ベルト６を挟んだ両側に、搬送ベルト６に蓄積された電荷を除電する除電手段７ａ〜７ｃと除電手段８ａ〜８ｃが対をなして設けられている。
【００２９】
上記のように構成された転写部１では感光体２ａ〜２ｄに形成された各色のトナ−像を搬送ベルト６で搬送される記録紙に転写ロ−ラ３ａ〜３ｄで順次転写していく。この転写動作のときに各転写ロ−ラ３ａ〜３ｄから搬送ベルト６に電荷が与えられる。搬送ベルト６に与えられた電荷を除電手段７ａ〜７ｃと除電手段８ａ〜８ｃで除電し、搬送ベルト６に電荷が逐次蓄積されることを防ぐ。このように搬送ベルト６に蓄積された電荷を除電するときに、除電手段７ａ〜７ｃと除電手段８ａ〜８ｃを搬送ベルト６の両側に対をなして配置することにより、効率良く除電できることが実験により確認されている。
【００３０】
また、記録紙を搬送している搬送ベルト６に蓄積された電荷を除電するときに、搬送されている記録紙が感光体２ａ〜２ｄ側の除電手段８ａ〜８ｃに接触すると前段の感光体から記録紙に転写されたトナ−像を擦り、記録紙上のトナ−像を乱してしまい、画質を低下させることになる。そこで感光体２ａ〜２ｄ側の除電手段８ａ〜８ｃは搬送ベルト６から所定の間隔をおいて設置する。
【００３１】
また、搬送ベルト６の感光体２ａ〜２ｄ側に配置された除電手段８ａ〜８ｃは搬送ベルト６との間に一定の間隔を持つことが必要であるが、この間隔と除電手段８ａ〜８ｃの除電量の関係を図２に示す。この間隔を空けた場合の除電の原理は空気を媒体とする放電現象であり、間隔が大きくなるにしたがって除電量は急激に低下する。一方、転写ロ−ラ３ａ〜３ｄに印加する電圧あるいは電流は、記録紙の種類、両面印写を行う場合の第１面と第２面、環境条件等で変更する必要があることが知られている。したがって、これらが変動するときには必要となる除電量も変化する。これに対応するため、搬送ベルト６との除電手段８ａ〜８ｃの間隔を記録紙の種類等の条件により変えることにより、転写ロ−ラ３ａ〜３ｄに印加する電圧あるいは電流が変わっても常に同じ除電量を確保することができる。この間隔を変える手段としては、除電手段８ａ〜８ｃのホルダにソレノイド等を設け、上記各種条件を外部信号としてソレノイドを駆動することにより、簡単に間隔を変えることができる。
【００３２】
また、図２に示すように、搬送ベルト６と除電手段８ａ〜８ｃの間隔は小さければ小さいほど除電効率は良いが、取付けの位置精度や搬送ベルト６のうねり、あるいは記録紙の厚み等を考慮すると０．５ｍｍ〜１ｍｍの範囲にすると、搬送ベルト６のうねり等の影響を除去して効率良く除電することができる。
【００３３】
なお、転写ロ−ラ３ａ〜３ｄ側に設けた除電手段７ａ〜７ｃは搬送ベルト６に接触しても特に問題はない。しかしながら搬送ベルト６の表裏からの除電量のバランスをとるために、感光体３ａ〜３ｄ側に設けた除電手段８ａ〜８ｃと同じ間隔をとることがが望ましい。
【００３４】
また、転写した画像の画質を全体にわたり均一に向上させるためには、画像領域全域にわたって搬送ベルト６に蓄積された電荷を除電する必要がある。このため、除電手段７ａ〜７ｃと除電手段８ａ〜８ｃは少なくとも画像領域以上の幅を持つことが必要である。すなわち図３の正面図に示すように、画像領域の幅をｚ１、搬送ベルト６の幅をｚ２とすると、除電手段７ａ〜７ｃと除電手段８ａ〜８ｃの幅ｚ０は、ｚ１≦ｚ０≦ｚ２を満足するように設定する必要がある。
【００３５】
さらに、搬送ベルト６に蓄積された電荷を除電手段７ａ〜７ｃと除電手段８ａ〜８ｃに移行して除電するが、除電手段７ａ〜７ｃと除電手段８ａ〜８ｃが電気的に浮いている状態では、除電手段７ａ〜７ｃと除電手段８ａ〜８ｃが静電容量以上になると電荷の移動が行われなくなり、持続的に搬送ベルト６の除電を行うことができなくなる。そこで除電手段７ａ〜７ｃと除電手段８ａ〜８ｃをそれぞれ図４に示すように接地したり、あるいは図５に示すように一定の直流電圧を印加したりすると良い。
【００３６】
上記搬送ベルト６の転写ロ−ラ３ａ〜３ｄ側の面には転写ロ−ラ３ａ〜３ｄに印加される電圧と同極性の電荷が蓄積され、搬送ベルト６の感光体２ａ〜２ｄ側の面には転写ロ−ラ３ａ〜３ｄに印加される電圧と逆極性の電荷が蓄積される。そこで除電手段７ａ〜７ｃと除電手段８ａ〜８ｃに一定電圧を印加する場合に、図５に示すように、搬送ベルト６の転写ロ−ラ３ａ〜３ｄ側に配置された除電手段７ａ〜７ｃには転写ロ−ラ３ａ〜３ｄに印加される電圧と逆極性の電圧を印加し、搬送ベルト６の感光体２ａ〜２ｄ側に配置された除電手段８ａ〜８ｃには転写ロ−ラ３ａ〜３ｄに印加される電圧と同極性の電圧を印加すると、搬送ベルト６に蓄積された電荷を効率良く除電することができる。
【００３７】
また、除電手段７ａ〜７ｃと除電手段８ａ〜８ｃを接地する場合、図６に示すように、除電手段７ａ〜７ｃ，除電手段８ａ〜８ｃと接地間に抵抗Ｒを設け、抵抗Ｒの電位差を検出することにより、各除電手段７ａ〜７ｃ，除電手段８ａ〜８ｃから接地に流れる電流を検知することができる。この電流を検知することにより、各種制御や除電手段７ａ〜７ｃ，除電手段８ａ〜８ｃが正常な動作をしているか否かを管理することができる。例えば検出された電流値をあらかじめ設定された上限値及び下限値と比較し、電流値が上限値と下限値の間であれば正常に動作していると判断し、それ以外の場合は何らかの異常が発生していると判断して動作停止等の動作を行うことによってシステムの信頼性を向上させることができる。
【００３８】
また、除電手段７ａ〜７ｃ，除電手段８ａ〜８ｃの材料として、抵抗が大きい材料を使用すると除電手段７ａ〜７ｃ，除電手段８ａ〜８ｃ自体の電圧が低下せず、結果として除電効率が悪くなる。逆に、除電手段７ａ〜７ｃ，除電手段８ａ〜８ｃの材料として電気的な導体を使用した場合には、搬送ベルト６からの放電が不均一になり易く、搬送ベルト６に電荷にむらができ、記録紙に転写されたトナ−像が乱れる現象が観察される。そこで各種材料による除電効果を調べた結果、一般に比抵抗が１０８〜１０１２（Ωｃｍ）の中抵抗材料が最も良い除電効果を発揮した。したがって、この材料で構成されたブラシや不織布を除電手段７ａ〜７ｃ，除電手段８ａ〜８ｃの材料として使用する。但し、搬送ベルト６の転写ロ−ラ３ａ〜３ｄ側に設けた除電手段７ａ〜７ｃは異常な放電によるトナ−像の乱れがないため、導電性の材料で構成しても良い。また搬送ベルト６を傷つけないために、除電手段７ａ〜７ｃ，除電手段８ａ〜８ｃを上記材料で構成されたロ−ラにすると良い。
【００３９】
また、除電手段７ａ〜７ｃ，除電手段８ａ〜８ｃとしてブラシを利用する場合、感光体２ａ〜２ｄの回転軸方向の除電が不均一な部分があると、その部分には次の転写時に充分な電荷が乗らず、画像むらとなって現れる。これを防止するためには、ブラシの植毛密度を例えば５本／ｍｍ以上と高めると良い。
【００４０】
一般に上記のように搬送ベルト６の除電を行う場合、搬送ベルト６は常に移動しており、除電手段７ａ〜７ｃ，除電手段８ａ〜８ｃを通過する時間も除電のための重要なパラメ−タの一つであり、図７の搬送ベルト６が除電手段７ａ〜７ｃ，除電手段８ａ〜８ｃを通過する時間と除電量の関係を示す特性図に示すように、通過時間が長くなるにしたがって除電量は増していき、一定時間以上になると搬送ベルト６上の電荷は全て除去される。この除電量と時間の関係を調べた結果、１０ｍｓｅｃ以上あれば全体のほぼ５０％の電荷が除去できるという結果を得た。また、１回の転写で搬送ベルト６に蓄積された電荷のほぼ５０％を除去すると、次の転写にあまり影響がないことも確認した。そこで、搬送ベルト６の搬送速度をν（ｍｍ／ｓｅｃ）、除電手段７ａ〜７ｃ，除電手段８ａ〜８ｃの搬送ベルト６移動方向の長さをу０（ｍｍ）とすると、除電手段７ａ〜７ｃ，除電手段８ａ〜８ｃの長さｙ０としては、（ｙ０／ν）＞０．０１を満足するようにすれば効率良く除電して良質な画像を得ることができる。
【００４１】
また、上記実施例は除電手段７ａ〜７ｃ，除電手段８ａ〜８ｃを接地したり、一定直流電圧を印加する場合について説明したが、除電手段７ａ〜７ｃ，除電手段８ａ〜８ｃのいずれか一方に直流の電圧と交流の電圧を重畳し、他方を接地するようにしても良い。例えば図８に示すように、転写ロ−ラ３側の除電手段７に直流電圧と交流電圧を重畳し、感光体２側の除電手段８を接地する。このようにしたときの直流分の電圧に対する除電量と交流分の周波数に対する除電量の関係を図９，図１０に示す。図９に示すように、直流電圧を大きくするにしたがって除電量は増大する。一方、交流の周波数については、図１０に示すように、周波数を大きくするにしたがって除電量は徐々にに減少し、除電量が減少する変曲点の周波数はほぼ１ＫＨｚであった。そこで交流電圧の周波数は１ＫＨｚを超えない範囲が望ましい。なお、交流電圧の実効値自体には殆ど依存しないことを確認した。
【００４２】
また、図９、１０に示した特性を利用して先に述べたように、記録紙の種類や両面印写，環境条件等に応じて印加する直流電圧あるいは交流の周波数を可変制御することによって、常に適正な除電量を確保することができる。また、印加する直流電圧あるいは交流の周波数を接地側に流れる電流値におうじて可変制御するようにしても良い。
【００４３】
なお、上記実施例で各感光体２ａ〜２ｄの間に除電手段７ａ〜７ｃと除電手段８ａ〜８ｃを設けているが、必ずしも全てに設ける必要はなく、転写ロ−ラ３ａ〜３ｄの電源の容量が許す場合には１個所あるいは２個所に設けても良い。
【００４４】
また、上記実施例に示すように、転写ベルト６を除電手段７ａ〜７ｃ，除電手段８ａ〜８ｃで除電することを乾式の電子写真装置に適用すると、除電時に記録紙上のトナ−粒子が飛散する現象が確認されているため、湿式の電子写真装置に適用されるものである。
【００４５】
【発明の効果】
この発明は以上説明したように、複数の感光体と転写手段が連設され、搬送ベルトで搬送されている記録紙に多色印刷をを行なう湿式電子写真装置の感光体の間に除電装置を設け、記録紙を搬送している搬送ベルトが前段の感光体と転写手段から次段の感光体と転写手段の位置にまで移動する間に、前段の転写手段により搬送ベルトに蓄積された電荷を除電装置で除去し、次段の転写手段による電荷の付与が小さくなることを防ぎ、次段の感光体上のトナ−像の記録紙への転写比率を高めて良質な画像を記録紙に転写することができる。
【００４６】
上記除電装置を搬送ベルトを挟んだ同じ位置に対をなすように配置して、搬送ベルトの両面の電荷を除去し、電荷の除去効率を高める。
【００４７】
また、搬送ベルトの感光体側に設けられた除電装置は搬送ベルトから一定の間隔をもって配置し、除電装置と搬送ベルトで搬送されている記録紙が接触することを防止して、記録紙に前段で転写されたトナ−像が乱れることを防ぐ。
【００４８】
この除電装置は搬送ベルトを間隔を可変できるようにして、記録紙の種類や両面印刷，使用される環境等の各種条件で可変調節し、各種条件に応じて搬送ベルトの電荷を除去し、常に良好な画像を得る。
【００４９】
また、搬送ベルトの転写手段側に設けた除電装置を感光体側に設けた除電装置と搬送ベルトとの間隔と略同じ間隔だけ搬送ベルトから離れて配置して、搬送ベルトの両面の電荷除去量を平衡させて除電効率を高める。
【００５０】
また、除電装置の幅を搬送ベルトの移動方向と直交する搬送ベルトの幅以下で、感光体上に形成される画像領域の幅以上として、画像領域に蓄積された電荷を確実に除去し、画像領域全体にわたり均一で良好な画像を得る。
【００５２】
また、搬送ベルトの両側に設けられた除電装置の双方に直流の電圧を印加したり、一方の除電装置に直流電圧又は直流と交流の電圧を重畳して印加し、他方の除電装置を電気的に接地して除電効率を高める。
【００５３】
さらに、除電装置から接地部に流れる電流を検知し、除電の適否を判断して除電装置の状態を管理し、装置全体の信頼性を高める。
【００５４】
また、搬送ベルトの両側に設けられた除電装置のうち、搬送ベルトの感光体側に設けられた除電手段には転写手段に印加される電圧と同極性の電圧を印加し、搬送ベルトの転写手段側に設けられた除電装置には転写手段に印加される電圧と逆極性の電圧を印加して、除電効率をより高める。
【００５５】
さらに、一方の除電装置に直流と交流の電圧を重畳して印加する場合に、印加される直流分の電圧と交流分の電圧の周波数の少なくとも一方を可変とし、交流電圧の周波数は１ＫＨｚを超えない範囲にして、安定した除電を行ない、良質な画像を得る。
【００５６】
また、電気的に接地した除電装置に流れる電流量を検知し、検知した電流量に応じて直流及び交流の電圧が印加される除電装置に印加する直流分の電圧又は交流分の電圧の周波数を変更し、各種条件に応じた最適な除電を行ない、常に均一な画像を得る。
【００５７】
また、除電装置は比抵抗が１０８〜１０１２（Ωｃｍ）の材料からなるブラシ又は不織布で構成して、搬送ベルトからの電荷の移行量を高め、除電装置の小型化と除電効率の向上を図る。
【００５８】
また、搬送ベルトの転写手段側に設けられた除電装置は記録紙のトナ−像に直接影響しないから導電性材料からなるロ−ラで構成して、搬送ベルトを傷つけずに効率良く除電する。
【００５９】
さらに、搬送ベルトの移動速度をν（ｍｍ／ｓｅｃ）、除電装置の搬送ベルト移動方向に対する長さу０（ｍｍ）としたとき、（у０／ν）＞０．０１を満足するように除電装置のу０の長さを定め、１回の除電時間を少なくとも１０ｍｓｅｃ以上として、搬送ベルトに蓄積された電荷の除去量を高め、常に安定した除電を行ない、良質な画像を得る。
【図面の簡単な説明】
【図１】この発明の実施例の転写部を示す構成図である。
【図２】除電手段と搬送ベルトの間隔に対する除電量を示す特性図である。
【図３】除電領域幅を示す感光体と転写ロ−ラの正面図である。
【図４】除電手段を接地した例を示す構成図である。
【図５】除電手段に直流電圧を印加した例を示す構成図である。
【図６】除電手段から接地にながれる電流を測定する例を示す構成図である。
【図７】除電手段を搬送ベルトが通過する時間に対する除電量を示す特性図である。
【図８】除電手段に直流電圧と交流電圧を重畳して印加した例を示す構成図である。
【図９】除電手段に印加する直流電圧に対する除電量を示す特性図である。
【図１０】除電手段に印加する交流の周波数に対する除電量を示す特性図である。
【符号の説明】
１      湿式電子写真装置の転写部
２      感光体
３      転写ロ−ラ
６      搬送ベルト
７      除電手段
８      除電手段
【図１】
0003576659.tif 000002
【図２】
0003576659.tif 000003
【図３】
0003576659.tif 000004
【図４】
0003576659.tif 000005
【図５】
0003576659.tif 000006
【図６】
0003576659.tif 000007
【図７】
0003576659.tif 000008
【図８】
0003576659.tif 000009
【図９】
0003576659.tif 000010
【図１０】
0003576659.tif 000011